(57)【特許請求の範囲】
【請求項１】
ハンドピース内に配設された回転軸と、ヘッド部内に配設され前記回転軸と直交し前記回転軸によって回転される回転筒とを有し、該回転筒に歯牙切削バーを挿着して歯牙の治療を行う歯牙治療用マイクロモータハンドピースにおいて、前記回転軸は先端部に該回転軸に対して偏心した突出部を有し、前記回転筒は前記突出部が挿入される周溝を有し、該回転筒は前記回転軸が回転された時に、前記回転筒が該回転筒の軸方向に往復動し、更に、前記回転軸は前記突起部の基部を前表面とする大径部を有し、前記回転筒は前記大径部の前記前表面と接触する大径部を有し、該大径部の外周面は前記回転軸の大径部の前記前表面の半径部分と摩擦接触し、該摩擦接触により前記回転軸の回転を前記回転筒に伝達するようにするとともに、前記回転軸と該回転軸を回転可能に支持する固定部材との間に、前記回転軸を前方に押圧するためのバネ部材を有することを特徴とする歯科治療用マイクロモータハンドピース。
【請求項２】
前記回転軸の大径部前表面及び前記回転筒の大径部外周面が粗面に形成されていることを特徴とする請求項１に記載の歯科治療用マイクロモータハンドピース。
【請求項３】
前記回転軸の大径部前表面と前記回転筒の大径部外周面の間に摩擦抵抗の大きいＯリングが介装されていることを特徴とする請求項１又は２に記載の歯科治療用マイクロモータハンドピース。
【発明の詳細な説明】
【技術分野】
【０００１】
本発明は、歯科治療用マイクロモータハンドピースに係り、より詳細には、ハンドピース内に配設された回転軸と、ヘッド部内に配設され前記回転軸によって回転される回転筒とを有し、該回転筒に歯牙切削バーを挿着して歯牙の治療を行う歯牙治療用マイクロモータハンドピースにおいて、前記回転軸によって前記回転筒を該回転筒の軸方面に往復動可能とし、もって、歯科治療における歯牙切削バーの軸方向への手操作をなくし、更には、前記回転軸の回転を歯車を介することなく前記回転筒に伝達可能とし、もって、歯車の噛合に起因する騒音をなくし、静かな環境での歯科治療を可能としたものである。
【背景技術】
【０００２】
図２は、従来の歯科治療用マイクロエンジンの一例を説明するための要部構成図で、図中、１０は歯科用ハンドピース、１０′は該歯科用ハンドピースのヘッド部、２０は該ヘッド部１０′に対して着脱自在に螺合される蓋部材で、ヘッド部１０′内にはスリーブ１１が回転自在に配設されている。１２はハンドピース本体（図示しない）内に配設されているモータ等によって回転される回転軸、１３，１４は該回転軸１２の回転を前記スリーブ１１に伝達するための歯車、１５は軸１２を回転自在に支えるボールベアリング、１６，１７はスリーブ１１を回転自在に支えるボールベアリングで、これらによって、スリーブ１１はヘッド部１０′内に回転自在に配設されている。３０は前記スリーブ１１内に挿抜自在に挿入されるリーマ又はファイル等の歯牙切削バーで、該歯牙切削バー３０を前記回転軸１２の回転によって回転し、例えば、根管の拡大等の治療作業を行う。なお、根管拡大用のファイルとして上下運動を主として切削を行うタイプのものがあり、本発明はこの種のファイルを用いることを意図してなされたものである。
【先行技術文献】
【特許文献】
【０００３】
【特許文献１】特開２００６−１６７３６０公報
【発明の概要】
【発明が解決しようとする課題】
【０００４】
上記従来の歯科治療用マイクロモータハンドピースによると、回転軸１２の回転が歯車１３、１４を介して歯牙切削バー３０に伝達されるものであり、歯牙切削バー３０は単に回転されるものであり、軸方向の移動は術者の手作業によって行われており、例えば、根管拡大作業等において、術者は、回転している切削バー３０を歯牙根管内表面に当てながら該切削バーを上下動して根管の拡大作業等をしており、回転している切削バーを歯牙の根管内表面に適切な圧力で接しながら上下動させる操作が大変であった。また、回転軸１２の回転を歯車１３，１４を介して歯牙切削バー３０に伝達するようにしており、歯車の噛合音が術者にとっても患者にとっても煩い等の問題もあった。
【０００５】
本発明は、上述のごとき実情に鑑みてなされたもので、回転軸１２の回転を該回転軸と直交する被回転軸１１に伝達する動力伝達機構において、被回転軸１１を該被回転軸１１の軸方向にも往復可能とし、更には、前記回転軸１２の回転を前記被回転軸１１に伝達するのに歯車１３，１４を使用せず、もって、歯車の噛合音をなくした静かな作業環境を提供することを目的としてなされたものである。
【課題を解決するための手段】
【０００６】
上記課題を解決するために、請求項１の発明は、ハンドピース内に配設された回転軸と、ヘッド部内に配設され前記回転軸と直交し前記回転軸によって回転される回転筒とを有し、該回転筒に歯牙切削バーを挿着して歯牙の治療を行う歯牙治療用マイクロモータハンドピースにおいて、前記回転軸は先端部に該回転軸に対して偏心した突出部を有し、前記回転筒は前記突出部が挿入される周溝を有し、該回転筒は前記回転軸が回転された時に、前記回転筒が該回転筒の軸方向に往復動し、更に、前記回転軸は前記突起部の基部を前表面とする大径部を有し、前記回転筒は前記大径部の前記前表面と接触する大径部を有し、該大径部の外周面は前記回転軸の大径部の前記前表面の半径部分と摩擦接触し、該摩擦接触により前記回転軸の回転を前記回転筒に伝達するようにするとともに、前記回転軸と該回転軸を回転可能に支持する固定部材との間に、前記回転軸を前方に押圧するためのバネ部材を有することを特徴としたものである。
【０００７】
請求項２の発明は、請求項１の発明において、前記回転軸の大径部前表面及び前記回転筒の大径部外周面が粗面に形成されていることを特徴としたものである。
【０００８】
請求項３の発明は、請求項１又は２の発明において、前記回転軸の大径部前表面と前記回転筒の大径部外周面の間に摩擦抵抗の大きいＯリングが介装されていることを特徴としたものである。
【発明の効果】
【００１０】
本発明によると、歯科治療用マイクロモータハンドピースにおいて、モータ等によって回転される回転軸の回転を歯牙切削バーに伝達するに当り、該歯牙切削バーを該歯牙切削バーの軸方向にも往復動可能に伝達するようにしたので、歯牙の根管拡大作業等において、術者は、手作業にて歯牙切削バーを軸方向に移動させる必要がなく、根管拡大作業を非常に楽に行うことができる。また、作業中、歯車の噛合による騒音もないので、静かな環境で根管拡大作業を行うことができる。
【図面の簡単な説明】
【００１１】
【図１】本発明による歯科治療マイクロモータハンドピースの一実施例を説明するためのヘッド部構成図である。
【図２】従来の歯科治療用マイクロモータハンドピースのヘッド部の構成例を示す図である。
【発明を実施するための形態】
【００１２】
図１は、本発明による歯科治療用マイクロモータハンドピースの一実施例を説明するためのヘッド部の構成例を示す図で、図中、１は歯科治療用マイクロモータハンドピース、１’は該マイクロモータハンドピースのヘッド部、２はハンドピース１内に配設されているモータ（図示せず）等によって回転される回転軸、３は該回転軸２によって回転される回転筒で、該回転筒３は含油軸受４，５等によってヘッド部１’内に回転・往復運動可能に支持されており、この回転筒３にリーマ又はファイル等の歯牙切削バー（図示せず）が挿抜自在に装着されるようになっている。
【００１３】
本発明においては、回転軸２の先端には該回転軸２の回転中心（０−０軸）に対して偏心（Ｙ−Ｙ軸）した突出部２ａを有し、回転筒３の外周には、該突出部２ａが挿入される環状溝３ａを有する。従って、回転軸２を回転すると回転筒３は軸方向（矢印Ａ方向）に往復動し、従って、該回転筒３内に装着された歯牙切削バーも矢印Ａ方向に往復動される。
【００１４】
更に、回転軸２は前記突出部２ａの基部を前端表面とする大径部２ｂを有し、一方の回転筒３も大径環状部３ｂを有し、この回転筒３の大径環状部３ｂの外周表面３ｂ’が前記回転軸２の前記大径部２ｂの表面の半径部分２ｂ’と接触し、残りの半径部分２ｂ”とは接触しないようになっている。従って、回転軸２を回転すると、接触面２ｂ’と３ｂ’との間の摩擦力により、該回転軸２の紙面の垂直力方向に働く力が回転筒３に伝達され、該回転筒３が回転される。なお、本発明においては、回転軸２の大径部２ｂの残りの半径部分２ｂ”の表面は、回転筒３とは接触しておらず、そのため、回転筒３には接触面２ｂ’と３ｂ’との間に働く紙面に垂直方向の力のみが伝達され、回転筒３は回転軸２によって回転される。
【００１５】
回転軸２の回転を回転筒３に効果的に伝達するには、接触面２ｂ’と３ｂ’との接触圧を大きくしたり、接触面の摩擦を大きくすることが考えられるが、接触圧を大きくするためには、例えば、回転軸２を回転可能に支持する支持部材６と含油軸受７との間にバネ部材８を設け、該バネ部材８により、回転軸２を前方（矢印Ｂ方向）に押圧するようにすればよい。また、摩擦力を大きくするためには、接触面２ｂ’及び３ｂ’の表面を粗面にしたり、これら表面の間に摩擦力の大きいＯリング（点線にて表示）を介装するようにするとよい。
【００１６】
上述のように、本発明によると、回転軸２の回転を該回転軸２に直交する被回転軸（回転筒）３に伝達する際に、傘歯車等の歯車を介することなく伝達することができ、歯車の噛合による騒音等がなく、静かな環境を保つことができる。特に、本発明を歯科治療用マイクロモータに適用した場合、静かな環境で歯科治療を行うことができ、更には、本発明を歯科治療における根管拡大ハンドピースに適用した場合、歯牙切削バーを上下（切削バーの軸方向）に操作する必要がなく、治療作業をより容易にかつ精密に行うことが可能となる。
【００１７】
更に、本発明によるハンドピースを用いると、以下のような利点がある。
上下運動と回転運動の組み合わせによる切削部位の均一化：
上下運動のみではファイルの刃がある部分においてのみ歯の切削をしてしまうことになり、刃がついていない部分は切削がされないが、本発明のハンドピースによると、回転運動を行い刃の位置を移動させ、根管の内壁を均一に切削することができる。
ファイルの破折防止：
ファイルは細いものが多く、過剰な負荷が加わった際に根管内で破折し、根管内に残留してしまう場合があるが、本発明のハンドピースによると、回転運動を行うのに歯車を用いていないので回転運動を伝達するトルクが小さく、また、ある一定のトルクが加わった際にすべりが発生するため、ファイル破折のリスクを低減することができる。
【符号の説明】
【００１８】
１…歯科治療用マイクロモータハンドピース、１’…ヘッド部、２…回転軸、２ａ…突出部、２ｂ…大径部、２ｂ’，２ｂ”…大径部前表面、３…回転筒、３ｂ…大径部、３ｂ’…大径部外周表面、４，５…軸受け、８…バネ。
【図１】
0005840924.tif 000002
【図２】
0005840924.tif 000003